(57)【要約】【課題】本発明は、踏段駆動輪及び駆動装置を大型化させることなく運転休止中の踏段を保持することができるとともに、踏段チェーン異常発生時の踏段の位置ずれを最小限に抑えることができる乗客コンベアの制動装置を得ることを目的とするものである。【解決手段】制動装置２０は、掛け金２１及び掛け金駆動部を有している。掛け金２１は、踏段軸３間に突出する制動位置と、踏段軸３間から後退した解除位置との間で変位可能である。また、掛け金２１の踏段軸３側の端部は、先端部２１ａと、表面が湾曲した湾曲部２１ｂと、踏段軸３を保持するための保持部２１ｃとを有している。掛け金駆動部は、乗客コンベア制御装置に接続された電磁駆動部２２と、ばね２３とを有している。また、電磁駆動部２２は、プランジャ２４、押し板２５、複数のコイル２６、押さえ板２７、及びダンパ２８を有している。【選択図】図３
2007186303.tif 000002
【特許請求の範囲】
【請求項１】
互いに隣接するステップのステップ軸間に突出する制動位置と上記ステップの軸間から後退した解除位置との間で変位可能な掛け金、及び
上記掛け金を上記制動位置と上記解除位置との間で変位させる掛け金駆動部
を備え、
上記掛け金を上記制動位置に変位させ上記ステップ軸を上記掛け金に当接させることにより上記ステップの移動を阻止することを特徴とする乗客コンベアの制動装置。
【請求項２】
上記掛け金駆動部は、上記掛け金を上記制動位置方向に付勢させるばねと、入力された電気信号に応じて上記ばねに抗して上記掛け金を上記解除位置方向に変位させる電磁駆動部とを有していることを特徴とする請求項１記載の乗客コンベアの制動装置。
【請求項３】
上記掛け金駆動部は、上記掛け金を変位させる力の変化を緩衝する緩衝部を有していることを特徴とする請求項１又は請求項２に記載の乗客コンベアの制動装置。
【請求項４】
上記掛け金の突出方向の先端部の形状は、テーパ状であることを特徴とする請求項１〜請求項３のいずれかに記載の乗客コンベアの制動装置。
【請求項５】
上記掛け金の変位状態を監視し、乗客コンベア制御装置に知らせる監視部をさらに備えていることを特徴とする請求項１〜請求項４のいずれかに記載の乗客コンベアの制動装置。
【発明の詳細な説明】
【技術分野】
【０００１】
この発明は、乗客コンベアに設けられ、踏段を保持する乗客コンベアの制動装置に関するものである。
【背景技術】
【０００２】
一般的な乗客コンベアでは、乗客コンベアの運行休止中に踏段を保持するためにブレーキの制動力（踏段に対する保持力）を向上させた場合、走行中の踏段の急停止を防ぐために踏段駆動輪を大型化させて踏段に慣性力を加えているが、踏段駆動輪の大型化に伴い、駆動装置も大型化させていた。
これに対して、従来の乗客コンベアの制動装置では、乗客コンベアの運行休止中に、踏段駆動輪に取り付けられた爪車と阻止片とを電磁石によって係合させることにより、踏段駆動輪の回動を制し、踏段駆動輪及び駆動装置を大型化させることなく、踏段チェーンを介して踏段を保持している（例えば、特許文献１参照）。
【０００３】
【特許文献１】特開平９−２８６５８１号公報
【発明の開示】
【発明が解決しようとする課題】
【０００４】
上記のような従来の乗客コンベアの制動装置では、踏段チェーンを介して踏段を保持しているため、踏段チェーンに異常な伸びや切断が発生した場合に、踏段が保持されず、踏段の位置が大幅にずれることがあった。
【０００５】
この発明は上記のような課題を解決するためになされたものであり、踏段駆動輪及び駆動装置を大型化させることなく運転休止中の踏段を保持することができるとともに、踏段チェーン異常発生時の踏段の位置ずれを最小限に抑えることができる乗客コンベアの制動装置を得ることを目的とする。
【課題を解決するための手段】
【０００６】
この発明に係る乗客コンベアの制動装置は、互いに隣接するステップのステップ軸間に突出する制動位置とステップの軸間から後退した解除位置との間で変位可能な掛け金、及び掛け金を制動位置と解除位置との間で変位させる掛け金駆動部を備え、掛け金を制動位置に変位させステップ軸を掛け金に当接させることによりステップの移動を阻止する。
【発明の効果】
【０００７】
この発明の乗客コンベアの制動装置は、踏段駆動輪及び駆動装置を大型化させることなく運転休止中の踏段を保持することができるとともに、掛け金駆動部によって掛け金が制動位置でステップ軸に当接されるので、踏段チェーン切断時の踏段の位置ずれを最小限に抑えることができる。
【発明を実施するための最良の形態】
【０００８】
以下、この発明を実施するための最良の形態について、図面を参照して説明する。
実施の形態１．
図１は、この発明の実施の形態１による乗客コンベアを示す側面図である。
図において、建物の階床間には、本体枠１が掛け渡されている。本体枠１の長手方向の両側には、一対の欄干２が立設されている。対向する欄干２の間には、複数の踏段軸（ステップ軸）３と、踏段軸３にそれぞれ取り付けられた踏段（ステップ）４とが設けられている。
【０００９】
踏段軸３は、踏段チェーン５によって、互いに隣接する踏段４の踏段軸３と無端状に連結されている。踏段チェーン５は、本体枠１内の上端部に設けられた上段スプロケット６と、本体枠１内の下端部に設けられた下段スプロケット７との間に巻き掛けられている。上段スプロケット６の中心軸には、踏段駆動輪８が取り付けられている。上段スプロケット６及び踏段駆動輪８は、互いに一体となって回転される。踏段駆動輪８は、駆動チェーン９を介して、本体枠１内の上端部に設けられた駆動装置１０に接続されている。踏段駆動輪８の回転は、駆動装置１０によって駆動される。駆動装置１０の駆動は、乗客コンベア制御装置（図示せず）によって制御されている。
【００１０】
欄干２の外周には、手摺レール１１が設けられている。手摺レール１１上には、移動手摺１２が走行可能に設けられている。移動手摺１２の走行は、手摺レール１１によって案内される。また、移動手摺１２は、本体枠１の上端部に設けられた手摺駆動装置１３から駆動力を受ける。手摺駆動装置１３は、動力伝達チェーン１４を介して、踏段駆動輪８に接続されている。踏段４及び移動手摺１２は、踏段駆動輪８が回転されることによって、互いに同期して走行される。
【００１１】
図２は、図１の本体枠１を示す側面図である。図において、本体枠１の各側面の上辺及び下辺は、上弦材１５及び下弦材１６によって構成されている。上弦材１５及び下弦材１６は、上弦材１５及び下弦材１６と直角に交わる複数の鉛直中間材１７と、本体枠１の長手方向に傾斜する複数の傾斜材１８とによって連結されている。本体枠１の短手方向で互いに対向する一対の鉛直中間材１７は、水平中間材１９によって連結されている。水平中間材１９の中間部には、制動装置２０が取り付けられている。
【００１２】
図３は、図１の乗客コンベアの一部を拡大して示す側面図である。図において、水平中間材１９と制動装置２０との間には、制動装置２０の中心軸を揺動する遊び（図示せず）が設けられている。この遊びによって、制動装置２０の中心軸は、本体枠１の傾斜方向の直角面に対する傾斜角が数度の範囲で変動可能となっている。
【００１３】
制動装置２０は、掛け金２１及び掛け金駆動部を有している。掛け金２１は、踏段軸３間に突出する制動位置と、踏段軸３間から後退した解除位置との間で変位可能である。また、掛け金２１の踏段軸３側（突出方向側）の端部は、先端部２１ａ、表面が湾曲した湾曲部２１ｂ、及び踏段軸３を保持するための保持部２１ｃを有している。先端部２１ａの形状は、掛け金２１の突出方向に鋭くなったテーパ状である。湾曲部２１ｂの形状は、略球体状（たまねぎ状）である。掛け金駆動部は、乗客コンベア制御装置に接続された電磁駆動部２２と、ばね２３とを有している。また、電磁駆動部２２は、プランジャ（鉄心）２４、押し板２５、複数のコイル２６、押さえ板２７、及び緩衝部としてのダンパ２８を有している。
【００１４】
プランジャ２４は、ばね２３及びダンパ２８を貫通する中心軸を構成している。また、プランジャ２４の上端部は、押し板２５を介して、掛け金２１の他端部と連結されている。さらに、プランジャ２４の下端部は、複数のコイル２６によって囲まれている。ばね２３は、押し板２５とダンパ２８との間に設けられている。また、ばね２３は、押し板２５を踏段軸３側へ付勢することによって、掛け金２１を制動位置方向に変位させる。
【００１５】
コイル２６は、乗客コンベア制御装置から受けた電気信号（励磁電流）に応じて、磁界を発生する。コイル２６から発生した磁界によって、プランジャ２４に磁力が働き、プランジャ２４が反踏段軸３側へ変位される。即ち、電磁駆動部２２は、入力された電気信号に応じて、ばね２３のばね力に抗することによって、掛け金２１を解除位置方向に変位させる。
【００１６】
押さえ板２７は、ダンパ２８内のプランジャ２４の中間部に取り付けられている。また、押さえ板２７によりプランジャ２４の上方への変位を規制する。ダンパ２８内には、緩衝オイルが注入されている。緩衝オイル及び押さえ板２７によって、プランジャ２４に掛かる力の変化が緩衝される。即ち、プランジャ２４は、緩衝オイル及び押さえ板２７によって、ゆっくりと変位される。
【００１７】
次に、動作について説明する。図４は、図３の制動装置２０の制動状態を示す正面図である。図において、乗客コンベアの運転休止中に乗客コンベア制御装置からの電磁駆動部２２への給電が無い場合、ばね２３のばね力によって、プランジャ２４が制動位置方向に付勢されているため、掛け金２１は、制動位置で静止している。これによって、掛け金駆動部は、掛け金２１を制動位置に変位させ踏段軸３を掛け金２１に当接させることにより踏段４の移動を阻止する。
【００１８】
図５は、図３の制動装置２０の非制動状態を示す正面図である。図において、乗客コンベア起動時に電磁駆動部２２が乗客コンベア制御装置から給電されると、コイル２６で磁界が発生し、プランジャ２４が解除位置方向に付勢される。そして、ダンパ２８によって、プランジャ２４に掛かる力の変化が緩衝されながら、掛け金２１が解除位置に変位されて、掛け金２１による踏段４の保持が解除される。また、この状態から、乗客コンベア制御装置からの電磁駆動部２２への給電が絶たれると、ダンパ２８によってプランジャ２４に掛かる力の変化が緩衝されながら、ばね２３のばね力によって、掛け金２１が制動位置に付勢される。
【００１９】
図６は、図３の湾曲部２１ｂと踏段軸３とが当接した場合の保持状態を示す説明図である。図において、乗客コンベア制御装置からの電磁駆動部２２への給電が絶たれ、掛け金２１が制動位置に突出時に、湾曲部２１ｂと踏段軸３とが当接した場合、テーパ状の先端部２１ａと、略球体状の湾曲部２１ｂと、制動装置２０に設けられた遊びとによって、掛け金２１の突出は、踏段軸３の（本体枠１の傾斜方向の）下部側に、踏段軸３の外周に沿って案内される。そして、掛け金が完全に突出する（伸びきる）と、保持部２１ｃによって、踏段軸３が保持される。また、掛け金２１が制動位置から解除位置への後退する場合、掛け金２１の後退は、湾曲部２１ｂによって、踏段軸３の外周に沿って案内される。
【００２０】
上記のような乗客コンベアの制動装置では、掛け金と踏段軸とを当接させて踏段の移動を阻止するので、踏段駆動輪及び駆動装置を大型化させることなく運転休止中の踏段に対する保持力を向上させることができる。
【００２１】
また、踏段チェーンが切断されて踏段の位置ずれが発生した場合であっても、何れかの踏段軸と掛け金とが当接するので、踏段の位置ずれを最小限に抑えることができる。
【００２２】
なお、実施の形態１では、掛け金２１の先端部２１ａの形状がテーパ状であったが、掛け金の先端部の形状は、踏段軸と掛け金の湾曲部との当接時に掛け金が伸びきる形状（掛け金の突出を案内できる形状）であればよく、テーパ状に限るものではない。これと同様に、掛け金の湾曲部の形状は、略球体状に限るものではない。
【００２３】
実施の形態２．
次に、この発明の実施の形態２について説明する。図７は、実施の形態２による制動装置２０を示す正面図である。図において、実施の形態１では、掛け金２１の断面形状が円状であったが、実施の形態２では、掛け金２１の断面形状が半円状となっており、掛け金２１は平面部２１ｄをさらに有している。掛け金２１の押し板２５との接合部には、回り止め加工が施されており、湾曲部２１ｂが常に上段の踏段４側に向くように保持されている。
【００２４】
また、実施の形態１では、先端部２１ａが制動装置２０の中心軸の中心点に配置されていたが、実施の形態２では、先端部２１ａが制動装置２０の中心軸の中心点よりも、踏段４の走行方向の下段側に配置されている。さらに、実施の形態２の湾曲部２１ｂは、実施の形態１の湾曲部２１ｂよりも湾曲した面積が広くなっている。
【００２５】
なお、図８は、図７の湾曲部２１ｂと踏段軸３とが当接した場合の保持状態を示す説明図である。図９は、図８のＩＸ−ＩＸ線に沿う断面図である。他の構成及び動作は、実施の形態１と同様である。
【００２６】
上記のような乗客コンベアの制動装置では、実施の形態１の乗客コンベアの制動装置よりも湾曲部が広いので、踏段軸を保持するための踏段の停止位置の範囲を広めることができ、踏段保持動作の安定性を向上させることができる。
【００２７】
なお、実施の形態２では、掛け金２１の断面形状が半円形であったが、半円形に限るものではなく、掛け金と押し板との接合部に回り止め加工が施されており、湾曲部が常に上段の踏段側に向くように保持されていればよい。
【００２８】
実施の形態３．
次に、この発明の実施の形態３について説明する。図１０は、実施の形態３による制動装置２０を示す正面図である。図において、押し板２５とダンパ２８との間には、監視部としての接点スイッチ２９が取り付けられている。接点スイッチ２９は、乗客コンベア制御装置に接続されている。
【００２９】
ここで、接点スイッチ２９は、常開接点式スイッチ（又は常閉接点式スイッチ）であり、掛け金２１が解除位置に変位されることによって、接点スイッチ２９の接点が閉じる（常閉接点式スイッチの場合は開く）。接点スイッチ２９の接点の開閉状態は、乗客コンベア制御装置によって監視されている。即ち、乗客コンベア制御装置は、接点スイッチ２９を介して、掛け金２１の変位状態を監視している。他の構成は、実施の形態１と同様である。
【００３０】
次に動作について説明する。乗客コンベア制御装置は、乗客コンベア運転開始時に、踏段４の解放指令（電気信号）を各制動装置２０に送り、掛け金２１を解除位置に変位させる。そして、乗客コンベア制御装置は、全ての接点スイッチ２９の接点が閉じたかどうかを確認する。全ての接点スイッチ２９が閉じたことを検出すると、乗客コンベア制御装置は、全ての制動装置２０が踏段４を解放したと判断し、駆動装置１０に駆動指令を送り、踏段４を走行させる。一方、全ての接点スイッチ２９が閉じていない場合、乗客コンベア制御装置は、踏段４が制動装置２０から解放されていないと判断し、全ての接点スイッチ２９が閉じるまで待機し、踏段４の走行が停止したままとなる。
【００３１】
上記のような乗客コンベアの制動装置では、掛け金の変位状態を監視し、乗客コンベア制御装置に監視状態を知らせるので、駆動機の駆動と制動装置の制動との不整合を防ぐことができ、乗客コンベアの走行開始時の安定性を向上させることができる。
【００３２】
また、乗客コンベア制御装置に各制動装置の動作状態を知らせるので、掛け金を制動位置及び解除位置の一方から他方に変位させるまでの制動装置毎の個体差による時間差を吸収することができる。
【００３３】
なお、実施の形態３では、監視部に接点スイッチ２９を用いたが、接点スイッチに限るものではなく、監視部は掛け金の変位状態を監視できるものであればよい。
【００３４】
また、実施の形態１〜３の乗客コンベアの制動装置は、エスカレータの適用例を示したが、この発明の乗客コンベアの制動装置は、傾斜形の動く歩道にも適用することができる。
【００３５】
さらに、実施の形態１〜３では、複数の制動装置２０を用いたが、制動装置の設置数は１つであってもよい。さらにまた、制動装置２０の設置場所は、水平中間材上に限るものではなく、踏段軸と掛け金とが当接できる場所であればよい。
【図面の簡単な説明】
【００３６】
【図１】この発明の実施の形態１による乗客コンベアを示す側面図である。
【図２】図１の本体枠を示す側面図である。
【図３】図１の乗客コンベアの一部を拡大して示す側面図である。
【図４】図３の制動装置の制動状態を示す正面図である。
【図５】図３の制動装置の非制動状態を示す正面図である。
【図６】図３の湾曲部と踏段軸とが当接した場合の保持状態を示す説明図である。
【図７】この発明の実施の形態２による制動装置を示す正面図である。
【図８】図７の湾曲部と踏段軸とが当接した場合の保持状態を示す説明図である。
【図９】図８のＩＸ−ＩＸ線に沿う断面図である。
【図１０】この発明の実施の形態３による制動装置を示す正面図である。
【符号の説明】
【００３７】
３  踏段軸（ステップ軸）、４  踏段（ステップ）、２０  制動装置、２１  掛け金、２２  電磁駆動部、２３  ばね、２８  ダンパ（緩衝部）、２９  接点スイッチ（監視部）。
【図１】
2007186303.tif 000003
【図２】
2007186303.tif 000004
【図３】
2007186303.tif 000005
【図４】
2007186303.tif 000006
【図５】
2007186303.tif 000007
【図６】
2007186303.tif 000008
【図７】
2007186303.tif 000009
【図８】
2007186303.tif 000010
【図９】
2007186303.tif 000011
【図１０】
2007186303.tif 000012